(57)【特許請求の範囲】
【請求項１】
デジタル放送で放送される番組を受信して該番組の映像及び音声をテレビ受像機により出力させるデジタル放送受信装置において、
放送される番組の放送予定と各番組の属性とを対応づけて記憶する番組属性記憶手段と、チャンネルの番号の指定又は所定の属性の指定の切替えに対応して前記チャンネルの番号又は前記所定の属性を指定する指定手段と、
この指定手段により指定された属性の番組を前記番組属性記憶手段に記憶された番組の中から抽出して受信する番組を特定する制御手段と、
この制御手段により特定された番組の映像及び音声を前記テレビ受像機により出力させる出力制御手段と、を備え、
前記制御手段は、前記番組属性記憶手段から複数の番組を抽出した場合には、抽出した各番組の優先順位を予め定められた基準に従って判定し、この優先順位中で最優先の番組を受信すべき番組として特定し、さらに、前記指定手段によって同一の属性が再度指定された場合は次の優先順位の番組を受信する番組として特定し、前記制御装置によって前記番組属性記憶手段から抽出された各番組の一覧を、現在出力中の映像に重ねて出力させること、を特徴とするデジタル放送受信装置。
【請求項２】
前記指定手段は、前記番組の属性に対応づけられたキーを備え、このキーの操作時に該キーに対応づけられた属性を指定することを特徴とする請求項１記載のデジタル放送受信装置。
【請求項３】
デジタル放送で放送される番組を受信して該番組の映像及び音声を出力するテレビ受像機において、
放送される番組の放送予定と各番組の属性とを対応づけて記憶する番組属性記憶手段と、チャンネルの番号の指定又は所定の属性の指定の切替えに対応して前記チャンネルの番号又は前記所定の属性を指定する指定手段と、
この指定手段により指定された属性の番組を前記番組属性記憶手段に記憶された番組の中から抽出して受信する番組を特定する制御手段と、
この制御手段により特定された番組の映像及び音声を出力する出力手段と、を備え、
前記制御手段は、前記番組属性記憶手段から複数の番組を抽出した場合には、抽出した各番組の優先順位を予め定められた基準に従って判定し、この優先順位中で最優先の番組を受信すべき番組として特定し、さらに、前記指定手段によって同一の属性が再度指定された場合は次の優先順位の番組を受信する番組として特定し、前記制御装置によって前記番組属性記憶手段から抽出された各番組の一覧を、現在出力中の映像に重ねて出力させること、を特徴とするテレビ受像機。
【発明の詳細な説明】
【０００１】
【発明の属する技術分野】
本発明は、ＢＳ放送やＣＳ放送その他のデジタル放送を視聴するためのデジタル放送受信装置、及びテレビ受像機に関する。
【０００２】
【従来の技術】
近年、テレビ放送においては、これまで主として用いられてきた地上波のアナログ放送技術に代えて、地上波のデジタル放送の他、通信衛星（ＣＳ；Communications Satellite）や放送衛星（ＢＳ；Broadcast Satellite）を介してデジタル信号を伝送するデジタル放送技術が急速に普及しつつある。
【０００３】
デジタル放送では、画像データや音声データ等を圧縮すると共に多重化して放送するので、チャンネル数が極めて多い。一方、デジタル放送では、各々のチャンネルに対応する画像データや音声データ等と共に、放送する番組のジャンルや放送時間などに関する電子番組ガイド（ＥＰＧ：Electrical Program Guide）や文字放送等の情報も送信される。このＥＰＧ等を利用して、ユーザの選局操作を支援するものが提供されている。
【０００４】
例えば、特開平９−３７１７２号公報には、受信表示している画面の画像をできるだけ遮らないようにして、その画面上に電子番組ガイドを重畳表示する電子番組ガイド表示制御装置および方法が開示されている。
【０００５】
また、特開平１０−１３６２７６号公報に開示されている選局装置によれば、日頃よく見るチャンネルを予めジャンル別に登録することができる。そして、ユーザが所望のジャンルを指定した場合、そのジャンルに属する複数のチャンネルが、各チャンネルの縮小映像の分割画面表示あるいは各チャンネルが一覧表示されたメニュー等の形式で表示される。ユーザは、それら分割画面やメニュー画面に基づいて番組を選択する。
【０００６】
ところが、デジタル放送では非常に多くのチャンネルで放送されるため、画面上に表示される分割画面やメニュー画面では、選局操作が煩雑になり、不便であるという問題があった。この課題を解決するため、従来、以下の様なものが提供されている。
【０００７】
例えば、特開平５−２８４４７６号公報には、文字放送によるテレビ番組情報に基づき、所望の番組ジャンルを選択することで、対応するチャンネルを選局するテレビ受信機が開示されている。
【０００８】
また、特開平７−５８７１３号公報には、番組を送信する放送局側とのジャンル信号の取り決めに基づいて、新たに設けるジャンルキーを入力するだけで希望の番組を逐次受信し表示する衛星放送受信機が開示されている。
【０００９】
【発明が解決しようとする課題】
しかしながら、特開平５−２８４４７６号公報及び特開平７−５８７１３号公報に開示された技術によっても、ジャンルの指定には複数回の操作を要する。従って、より簡単な操作で所望の番組を指定できる装置が望まれていた。
【００１０】
本発明は、このような観点からなされたもので、迅速かつ容易な番組選択が実現できるデジタル放送受信装置およびテレビ受像機を提供することを課題とする。
【００１１】
【課題を解決するための手段】
本発明は、このような課題を解決するために、次のような特徴を備えている。なお、次に示す手段の説明中、括弧書きにより実施の形態に対応する構成を一例として示す。符号等は、後述する図面参照符号等である。
【００１２】
請求項１記載の発明は、デジタル放送で放送される番組を受信して該番組の映像及び音声をテレビ受像機（３）により出力させるデジタル放送受信装置（例えば、図１に示すチューナボックス２）において、放送される番組の放送予定と各番組の属性とを対応づけて記憶する番組属性記憶手段（例えば、図３に示すメモリ２０２）と、チャンネルの番号の指定又は所定の属性の指定の切替えに対応して前記チャンネルの番号又は前記所定の属性を指定する指定手段（例えば、図１に示すリモコン装置４）と、この指定手段により指定された属性の番組を前記番組属性記憶手段に記憶された番組の中から抽出して受信する番組を特定する制御手段（例えば、図５のステップＳ１〜Ｓ６に示す処理を行うＣＰＵ２０１）と、この制御手段により特定された番組の映像及び音声を前記テレビ受像機により出力させる出力制御手段（例えば、図５のステップＳ７に示す処理を行うＣＰＵ２０１）と、を備え、前記制御手段は、前記番組属性記憶手段から複数の番組を抽出した場合には、抽出した各番組の優先順位を予め定められた基準に従って判定し、この優先順位中で最優先の番組を受信すべき番組として特定し、さらに、前記指定手段によって同一の属性が再度指定された場合は次の優先順位の番組を受信する番組として特定し、前記制御装置によって前記番組属性記憶手段から抽出された各番組の一覧（例えば、図７に示すタイトル一覧表６）を、現在出力中の映像に重ねて出力させること、を特徴とする。
【００１３】
請求項１記載の発明によれば、ユーザは番組の所定の属性を指定手段から指定する。制御手段は、指定手段により指定された属性の番組を番組属性記憶手段に記憶された番組の中から抽出して受信する番組を特定する。但し、制御手段は、番組属性記憶手段から複数の番組を抽出した場合には、抽出した各番組の優先順位を予め定められた基準に従って判定し、この優先順位中で最優先の番組を受信すべき番組として特定する。また、制御手段は、指定手段によって同一の属性が再度指定された場合は次の優先順位の番組を受信する番組として特定し、前記制御装置によって前記番組属性記憶手段から抽出された各番組の一覧を、現在出力中の映像に重ねて出力させる。制御手段により特定された番組の映像、音声、及び各番組の一覧は、出力制御手段によってテレビ受像機に出力される。
【００１４】
従って、指定された属性の番組の映像及び音声が素早く出力され、さらに、続けて同一の属性が指定された場合は、予め判定された優先順位に基づいて、次の優先順位の番組を受信する番組として特定し、同一属性の番組一覧が重ねて表示される。これにより、所望の属性の番組が速やかに表示された上で、他の番組を選ぶことができ、利便性と興趣性の向上を図れる。
【００１５】
請求項２記載の発明は、請求項１記載のデジタル放送受信装置において、
前記指定手段は、前記番組の属性に対応づけられたキー（例えば、図２に示す数字キー４０４〜４１３）を備え、このキーの操作時に該キーに対応づけられた属性を指定することを特徴とする。
【００１６】
請求項２記載の発明によれば、前記指定手段は、番組の所定の属性に対応づけられたキーを備える。ユーザはこのキーを操作して、該キーに対応づけられた属性を指定する。即ち、特定のキーに属性が対応づけられているので、属性を指定する操作が、より一層手軽な操作で済む。特に、同一の属性を連続して指定する場合には、操作が容易なため、より一層の利便性向上を図れる。
【００１９】
請求項３記載の発明は、デジタル放送で放送される番組を受信して該番組の映像及び音声を出力するテレビ受像機（例えば、図８に示すチューナ内蔵テレビ受像機７）において、放送される番組の放送予定と各番組の属性とを対応づけて記憶する番組属性記憶手段（例えば、図８に示すメモリ２０２）と、チャンネルの番号の指定又は所定の属性の指定の切替えに対応して前記チャンネルの番号又は前記所定の属性を指定する指定手段（例えば、図８に示すリモコン装置４）と、この指定手段により指定された属性の番組を前記番組属性記憶手段に記憶された番組の中から抽出して受信する番組を特定する制御手段（例えば、図８に示すＣＰＵ２０１）と、この制御手段により特定された番組の映像及び音声を出力する出力手段（例えば、図８に示すディスプレイ３１及びスピーカー３２）と、を備え、前記制御手段は、前記番組属性記憶手段から複数の番組を抽出した場合には、抽出した各番組の優先順位を予め定められた基準に従って判定し、この優先順位中で最優先の番組を受信すべき番組として特定し、さらに、前記指定手段によって同一の属性が再度指定された場合は次の優先順位の番組を受信する番組として特定し、前記制御装置によって前記番組属性記憶手段から抽出された各番組の一覧（例えば、図７に示すタイトル一覧表６）を、現在出力中の映像に重ねて出力させること、を特徴とする。
【００２０】
請求項３記載の発明によれば、ユーザは番組の所定の属性を指定手段から指定する。制御手段は、指定手段により指定された属性の番組を番組属性記憶手段に記憶された番組の中から抽出して受信する番組を特定する。但し、制御手段は、番組属性記憶手段から複数の番組を抽出した場合には、抽出した各番組の優先順位を予め定められた基準に従って判定し、この優先順位中で最優先の番組を受信すべき番組として特定する。また、制御手段は、指定手段によって同一の属性が再度指定された場合は次の優先順位の番組を受信する番組として特定し、前記制御装置によって番組属性記憶手段から抽出された各番組の一覧を、現在出力中の映像に重ねて出力させる。制御手段により特定された番組の映像、音声、及び各番組の一覧は、出力手段によって出力される。
【００２１】
従って、指定された属性の番組の映像及び音声が素早く出力され、さらに、続けて同一の属性が指定された場合は、予め判定された優先順位に基づいて、次の優先順位の番組を受信する番組として特定し、同一属性の番組一覧が重ねて表示される。このため、ユーザは、所望の属性の番組が速やかに表示された上で、他の番組を選ぶことができ、利便性と興趣性の向上を図れる。更に、このテレビ受像機は、指定手段を除く各構成要素を内蔵し（但し、指定手段も内蔵するようにしてもよい）、一体的に構成されるので、例えば、設置スペース等の面で便利である。
【００２２】
【発明の実施の形態】
以下、図1〜図８を参照して本発明の実施の形態について説明する。
【００２３】
〔第１の実施の形態〕
先ず、第１の実施の形態について図１〜図５を参照して説明する。図１は、本発明の第一の実施の形態におけるデジタル放送受信システムの概略構成を示す図である。この図１に示すように、デジタル放送受信システム１は、チューナボックス２、テレビ受像機３、及びリモコン装置４により構成される。
【００２４】
チューナーボックス２は、アンテナ（図示略）とテレビ受像機３とに接続されている。このチューナーボックス２はアンテナから入力される放送信号に基づいて映像信号や音声信号などを生成して、テレビ受像機３へ出力する。
【００２５】
ここでアンテナ（図示略）は、ＣＳやＢＳなど所定の衛星に適合する角度で設置された衛星放送受信用のパラボラアンテナである。このアンテナは、各種衛星を介して放送信号を受信すると共に、その受信した放送信号をチューナーボックス２へ出力する。
【００２６】
なお、アンテナ（図示略）が受信する放送信号には、番組の映像や音声のデータの他、現在の時刻を示す時刻情報やＥＰＧ情報などが含まれる。ＥＰＧ情報は、現在放送している番組又はこれから放送される番組についての、ジャンルを識別するためのジャンルコード、タイトル等を示す文字情報、及び放送時間に関する情報等を含む。
【００２７】
番組のジャンルとは、番組の内容に関する属性であって、番組送信局との取り決めにより、予め第一ジャンルと第二ジャンルとに分類されている。第一ジャンルには、洋画、邦画、スポーツ１、スポーツ２、音楽、ドラマ／演劇…等の項目がある。更に、それら各々の第一ジャンルは第二ジャンルによって細分化されている。例えば、第一ジャンルである洋画は更に、アクション、ＳＦファンタジー、コメディー…等の項目に細分化されている。
【００２８】
第一ジャンルの項目と第二ジャンルの項目には、夫々ジャンルコードが対応付けられている。デジタル放送で番組が送信される際には、ジャンルコードも送信されるので、当該デジタル放送受信システム１では、受信した番組のジャンルを識別できる。
【００２９】
テレビ受像機３は、ディスプレイ３１、スピーカー３２及びＩＲ（Infrared）受光部３３を備える。ディスプレイ３１は、チューナボックス３から入力される映像信号に応じた画像を表示する。スピーカー３２は、チューナボックス３から入力される音声信号に応じた音声を出力する。ＩＲ受光部３３は、リモコン装置４から送信される赤外線を受光し、その赤外線の担う操作信号をチューナボックス２に出力する。
【００３０】
リモコン装置４は、後述するようにＩＲ発光部４１や各種キー等を備える。このリモコン装置４によれば、各種キー等の押下操作に対応する各種操作信号をＩＲ発光部４１からＩＲ受光部３３へ赤外線にて送信するので、テレビ受像機３及びチューナボックス２を遠隔操作できる。
【００３１】
図２は、図１に示すリモコン装置４の外観を示す図である。この図２に示す様に、リモコン装置４は、ＩＲ発光部４１、電源キー４０１、メニューキー４０２、ジャンルダイレクト選局スイッチ（以下、「ジャンルＤ選局ＳＷ」と記す。）４０３、数字キー４０４，４０５，４０６，４０７，４０８，４０９，４１０，４１１，４１２，４１３、シャープキー４１４、アスタリスクキー４１５、カーソルキー４１６，４１７，４１８，４１９、及び決定キー４２０を備える。
【００３２】
ＩＲ発光部４１は、ＬＥＤ（Light Emitting Diode）やエンコーダ等（図示略）を含み、上記各種キーの押下操作又はスイッチの切替操作により生じる各種操作信号をＩＲ受光部３３へ赤外線にて送信する。
【００３３】
電源キー４０１の押下操作により、テレビ受像機３又はチューナボックス２の電源をＯＮ又はＯＦＦにするための操作信号が発生する。メニューキー４０２の押下操作により、ディスプレイ３１の画質や輝度などの設定や、数字キー４０４〜４１３に所定のジャンルを対応付けるための登録等を受け付ける旨をディスプレイ３１上に表示する為の操作信号が発生する。ジャンルＤ選局ＳＷ４０３の切替操作により、ＯＦＦの場合は通常の一般的な選局の状態に、ＯＮの場合はジャンルから番組を特定する状態に切替えるための操作信号が発生する。
【００３４】
詳細には、ジャンルＤ選局ＳＷ４０３がＯＦＦのとき、数字キー４０４〜４１３の一部を押下操作すれば、視聴する番組をチャンネル番号から特定するための操作信号が発生する。一方、ジャンルＤ選局ＳＷ４０３がＯＮのとき、数字キー４０４〜４１３の何れか一つを押下操作すれば、押下した数字キーに対応するジャンルに属する番組を表示するための操作信号が発生する。
【００３５】
カーソルキー４１６〜４１９の押下操作により、後述のタイトル一覧表を選択するための操作信号が発生する。決定キー４２０の押下操作により、タイトル一覧表から視聴する番組を決定するための操作信号が発生する。
【００３６】
次に、図３を参照してデジタル放送受信システム１を構成する各部の内部回路構成について詳細に説明する。図３は、デジタル放送受信システム１の内部構成を示すブロック図である。この図３において、チューナボックス２、テレビ受像機３、ディスプレイ３１、スピーカ３２、ＩＲ受光部３３、リモコン装置４、及びＩＲ発光部４１は夫々、図１に示す構成要素に対応するので同じ符号を付している。
【００３７】
図３に示す様に、チューナボックス２は、選局制御装置２１及びデジタルチューナ２２から構成される。選局制御装置２１は、ＣＰＵ（Central Processing Unit ）２０１、メモリ２０２、Ｉ／Ｏ部２０３、入力部２０４、及びモデム２０５により構成される。これら各々の構成要素は、バス２０６で接続され、制御信号やデータ等を互いに送受する。
【００３８】
ＣＰＵ２０１は、メモリ２０２に格納された各種処理プログラムを読込む。そして、ＣＰＵ２０１はその読込んだ処理プログラムに対応する処理を実行する。このことにより、チューナボックス２としての機能が実現される。このＣＰＵ２０１の処理内容の詳細については、他の構成要素の説明に際して適宜後述する。
【００３９】
メモリ２０２は、ＣＰＵ２０１により実行される各種プログラムや、これらのプログラムに係るデータを記憶する。また、メモリ２０２は、アンテナ５で受信するＥＰＧ情報に基づいて少なくとも、放送される番組の放送予定と各々の番組のジャンルコードとを、対応付けて記憶している。ここで、放送予定とは、現在放送中またはこれから放送される番組のチャンネルの番号である。また、ジャンルコードは、第一ジャンルのジャンルコードと第二ジャンルのジャンルコードとを含む。この放送予定と各々の番組のジャンルコードとの対応関係は、ＥＰＧ情報が送信される毎に適宜内容が更新される。
【００４０】
更に、本実施例において、メモリ２０２は、ユーザが登録した所定のジャンルを各々の数字キー４０４〜４１３と対応付けて記憶する。この対応付けについては、図４を参照して後述する。
【００４１】
Ｉ／Ｏ（Input/Output）部２０３は、チューナボックス２に対して、映像機器等の各種外部の電子機器（図示略）を接続するためのコネクタ等を備えている。
【００４２】
入力部２０４は、電源スイッチ等の各種スイッチ（図示略）を備えている。この入力部２０４は、ユーザによるスイッチ等の操作に応じた操作信号を生成し、ＣＰＵ２０１へ出力する。尚、入力部２０４は、リモコン装置４との間で赤外線通信を行うためのＩＲ受光部を備える構成としてもよい。
【００４３】
モデム２０５は、公衆電話回線網を介してデータ通信を行うための装置であって、図３に示すように、通信回線に接続されている。このことにより、番組送信局と双方向にデータ通信が可能である。
【００４４】
ここで、ＣＰＵ２０１が実行する処理のうちの一つについて説明する。ＣＰＵ２０１は、Ｉ／Ｏ部２０３に接続された外部の機器からの入力指示に基づいて、所定の通信先へデータを送信する場合には、モデム２０５を駆動制御し、そのデータを通信回線を介して所定の通信先へ送信させる。
【００４５】
デジタルチューナ２２は更に、アンテナ５に接続されたフィルタ２０７、増幅回路２０８、混合回路２０９、発振器２１０、ＰＬＬ（Phase Locked Loop ）回路２１１、ＩＱ復調回路２１２、Ａ／Ｄ（Analog/Digital）コンバータ２１３、ｎＰＳＫ復調回路２１４、ＴＭＣＣデコーダ２１５、スクランブル解除部２１６、ＴＳデータ分離部２１７、ＭＰＥＧ２ビデオデコーダ２１８、ＭＰＥＧ２オーディオデコーダ２１９、ビデオメモリ２２０、画面処理回路２２１、及びＤ／Ａ（Digital/Analog）コンバータ２２２により構成される。
【００４６】
フィルタ２０７は、アンテナ５から入力される放送信号のうち、所定の周波数帯の信号のみを通過させる。増幅回路２０８は、フィルタ２０７を通過した放送信号を増幅する。但し、この増幅回路は特定の周波数帯域の信号を特に増幅するものであってもよい。
【００４７】
発振器２１０は、ＰＬＬ回路２１１から入力される同期信号に基づいて、所定の周波数の発振信号を生成し、混合回路２０９へ出力する。ＰＬＬ回路２１１は、バス２０６を介してＣＰＵ２０１により指定されたチャンネルの放送信号のみを抽出及び増幅すべく、ＣＰＵ２０１の制御に従って、発振器２１０により出力される発振信号の発振周波数を調整する。
【００４８】
ここで、ＣＰＵ２０１が実行する処理のうちの一つについて説明する。ＣＰＵ２０１は、入力部２０４又は後述のＩＲ受光部３３から入力される指示によってデジタル放送の所定のチャンネルが指定された場合には、ＰＬＬ回路３１１へ制御信号を出力して、指定されたチャンネルの放送電波に同調する周波数を設定させる。このことにより、フィルタ２０７〜Ｄ／Ａコンバータ２２２の各部によって、指定されたチャンネルで放送中の映像信号及び音声信号が得られる。
【００４９】
混合回路２０９は、発振器２１０から入力される発振信号をもとに、増幅回路２０８から入力される信号の周波数を中間周波信号に変換して、後続のＩＱ復調回路２１２へ出力する。
【００５０】
ＩＱ復調回路２１２では、混合回路２０９から入力された信号を復調し、Ｉ（In-phase）信号とＱ（Quadrature-phase）信号とを生成して、Ａ／Ｄコンバータ２１３へ出力する。
【００５１】
Ａ／Ｄコンバータ２１３は、ＩＱ復調回路２１２から入力されたＩ信号及びＱ信号をサンプリングしてデジタル信号に変換し、ｎＰＳＫ復調回路２１４へ出力する。
【００５２】
ｎＰＳＫ復調回路２１４は、３種類の方式による復調を選択的に行う。即ち、ＢＳデジタル放送では天候等の条件に応じて、ＢＰＳＫ（Binary Phase Shift Keying ）、ＱＰＳＫ（Quadrature Phase Shift Keying ）、ＴＣ８ＰＳＫ（Trellis Coded 8 Phase Shift Keying：トレリス符号化８ＰＳＫ）の３種類の変調方式が採用されるわけであるが、ｎＰＳＫ復調回路２１４は、夫々の変調方式に対応した復調を選択的に行う。
【００５３】
具体的には、ｎＰＳＫ復調回路２１４では、Ａ／Ｄコンバータ２１３から入力されるＩ信号及びＱ信号の中から、前記３種類の変調方式の種別を示す伝送多重制御信号（ＴＭＣＣ；Transmission and Multiplexing Configuration Control）を抽出して、そのＴＭＣＣ信号をＴＭＣＣデコーダ２１５へ出力する。更に、ｎＰＳＫ復調回路２１４は、ＣＰＵ２０１から入力される制御信号に従って、復調方式を適宜切り換えながら、上記Ｉ信号及びＱ信号を復調して、スクランブル解除部２１６へ出力する。
【００５４】
ここで、ＣＰＵ２０１が実行する処理のうちの一つについて説明する。ＣＰＵ２０１は、ＴＭＣＣ信号に基づいて、常に変調方式を認識している。変調方式に変更があった場合には、ＣＰＵ２０１は、バス２０６を介してｎＰＳＫ復調回路２１４へ制御信号を出力し、変更後の変調方式に対応する変調を実行させる。ＴＭＣＣデコーダ２１５は、ｎＰＳＫ復調回路２１４から入力されるＴＭＣＣをデコードして、ＣＰＵ２０１へ出力する。
【００５５】
スクランブル解除部２１６では、ｎＰＳＫ復調回路２１４により復調された信号にスクランブル処理が施されている場合に、このスクランブル処理を解除して、ＴＳデータ分離部２１７へ出力する。
【００５６】
ＴＳデータ分離部２１７は、スクランブル解除部２１６によってスクランブルが解除された信号から、映像に関する信号、音声に関する信号、その他ＥＰＧ情報に関する信号などを抽出する。そして、ＴＳデータ分離部２１７は、映像に関する信号はＭＰＥＧ２ビデオデコーダ２１８へ、音声に関する信号はＭＰＥＧ２オーディオデコーダ２１９へ、ＥＰＧ情報に関する信号などはバス２０６を介してＣＰＵ２０１へ夫々出力する。
【００５７】
ここでＣＰＵ２０１が実行する処理の一つについて説明する。ＣＰＵ２０１は、ＴＳデータ分離部２１７からＥＰＧ情報が入力される毎に、そのＥＰＧ情報を基に、現在放送中またはこれから放送される番組のチャンネル番号と、各番組の第一ジャンル及び第二ジャンルのジャンルコードとを対応付けてメモリ２０２に格納する。
【００５８】
ＥＰＧ情報は、定期的に放送信号と共に送信されるわけであるが、ＣＰＵ２０１はＴＳデータ分離部２１７からＥＰＧ情報が入力される毎に、メモリ２０２の内容を更新する。このようにしてメモリ２０２内のＥＰＧ情報は常に自動的に更新されるので、ＣＰＵ２０１は、現在放送中の番組又はこれから放送される番組の各々についてチャンネルとジャンルコードとについて適宜識別することができる。
【００５９】
ＭＰＥＧ２ビデオデコーダ２１８は、ビデオメモリ２２０に設けられたワークエリアを利用して、ＴＳデータ分離部２１７から入力される信号をＭＰＥＧ２方式に従ってデコードすることによって映像データを生成し、テレビ受像機４に適合する映像信号に変換して、画面処理回路２２１へ出力する。画面処理回路２２１では、ＭＰＥＧ２ビデオデコーダ２１８から入力された映像信号と、ＣＰＵ２０１から入力される表示情報とを合成して、テレビ受像機３へ出力する。
【００６０】
また、ＭＰＥＧ２オーディオデコーダ２１９は、ＴＳデータ分離部２１７から入力される信号をＭＰＥＧ２方式に従ってデコードすることによって音声データを生成し、Ｄ／Ａコンバータ２２２へ出力する。Ｄ／Ａコンバータ２２２では、ＭＰＥＧ２オーディオデコーダ２１９から入力された音声データをアナログ信号に変換することにより音声信号を生成し、テレビ受像機３へ出力する。
【００６１】
次に、テレビ受像機３の構成について説明する。テレビ受像機３は、制御装置３０１、表示制御部３０２、音声制御部３０３、ディスプレイ３１、スピーカー３２、及びＩＲ受光部３３により構成される。
【００６２】
制御装置３０１は、チューナボックス２の画面処理回路２２１から入力される映像信号を表示制御部３０２へ出力すると共に、Ｄ／Ａコンバータ２２２から入力される音声信号を音声制御部３０３へ出力する。
【００６３】
表示制御部３０２は、制御装置３０１から入力される映像信号をもとにディスプレイ３１を駆動制御する。このことにより、ディスプレイ３１は放送された映像を出力する。また、音声制御部３０３は、制御装置３０１から入力される音声信号をもとにスピーカー３２を駆動制御する。このことにより、スピーカー３２は、放送された音声を出力する。
【００６４】
ＩＲ受光部３３は、リモコン装置４のＩＲ発光部４１から発光される赤外線を受光する。そして、ＩＲ受光部３３は受信した赤外線に基づいて、各種操作信号を選局制御装置２１のＣＰＵ３０１に出力する。
【００６５】
次に、図４を参照してメモリ２０２の記憶内容について説明する。図４は、メモリ２０２に記憶された設定内容の構成を模式的に示す図である。この図４に示すように、メモリ２０２は、キーの項目２０２ａとジャンルの項目２０２ｂとを対応付けて記憶している。キー２０２ａの項目には１，２，３，４…なる数字が格納されている。これらの数字はリモコン装置４の数字キー４０４〜４１３に付された数字と対応している。
【００６６】
一方、ジャンルの項目２０２ｂには、野球，スポーツ２，お天気，バラエティー…の様に、番組の所定のジャンルが格納されている。ここで登録するジャンルは、第一ジャンルでも第二ジャンルでもよい。
【００６７】
この図４に示す記憶内容は、リモコン装置４のジャンルＤ選局ＳＷ４０３がＯＮの状態で数字キーが押下されたとき、ＣＰＵ２０１によって参照されるものである。このとき、例えば数字キー４０４を押下すれば、現在放送中の番組のうち、野球のジャンルに属する番組がディスプレイ３１上にただちに放映される。
【００６８】
尚、それぞれの項目２０２ａ及び２０２ｂに格納する情報は、図４に示すものに拘泥する必要はない。各々の数字キー４０４〜４１３から所定のジャンルが特定できる内容であれば足りる。従って、例えば、ジャンル２０２ｂの項目には、説明の都合上、文字データを格納しているが、この項目には各々のジャンルに対応するジャンルコードを数値データ等として格納するのが好ましい。
【００６９】
次に、デジタル放送受信システム１における選局処理について、図５を参照して説明する。図５は、選局処理の手順を示すフローチャートである。前提として、メモリ２０２は、予めユーザの登録に基づいて、図４に示すような数字キーとジャンルとの対応関係を記憶しているものとする。また、電源キー４０１の押下操作により、チューナボックス２及びテレビ受像機３の電源はＯＮになっている。
【００７０】
先ず、リモコン装置４の各種キーの押下により、各種操作信号が発生する。ＩＲ受光部３３は操作信号を赤外線にて受信すると（ステップＳ１）、その操作信号をバス２０６を介してＣＰＵ２０１に出力する。ＣＰＵ２０１は該操作信号がジャンル別選局を指示するものか否か、即ち、操作信号の発生に際してジャンルＤ選局ＳＷがＯＮであったかＯＦＦであったかを判定する（ステップＳ２）。
【００７１】
操作信号がジャンル別選局を指示するものでないならば（ステップＳ２；ＮＯ）、一般的なデジタル放送受信システムとしての機能を果たす。例えば、ＣＰＵ２０１は、操作信号に対応する番号のチャンネルを選局する等の処理（以下、「一般処理」と記す。）を実行する（ステップＳ４）。
【００７２】
一方、操作信号がジャンル別選局を指示するものであれば（ステップＳ２；ＹＥＳ）、ＣＰＵ２０１は、先ずメモリ２０２を参照する。メモリ２０２は、図４を参照して説明した様に、数字キー４０４〜４１３と所定のジャンルとを対応付けて記憶している。従って、ＣＰＵ２０１は、操作信号から押下された数字キーを特定し、その特定した数字キーに予め対応付けられたジャンルを特定できる。
【００７３】
次に、ＣＰＵ２０１は、メモリ２０２にアクセスし、前記特定したジャンルのジャンルコードに基づいて、既存のチャンネル番号とジャンルコードとの対応関係から、前記特定したジャンルに該当する番組のチャンネルを特定する。該当するチャンネルが複数存在する場合は、デフォルト設定にて指定されたチャンネルで放送されている番組をディスプレイ３１上に表示する（ステップＳ３）。デフォルト設定によれば、該当する複数の番組を放送中のチャンネルのうち、最も番号の若いチャンネルにて放送している番組がディスプレイ３１に表示される。
【００７４】
現段階では、特定したジャンルに属する番組をデフォルト表示しているわけであるが、ここで、前記操作信号から特定した数字キーと同じ数字キーが再度押下されると（ステップＳ５；ＹＥＳ）、ＣＰＵ２０１はメモリ２０２を参照し、前記ジャンルに該当する番組が他にもあるか判定する（ステップＳ６）。
【００７５】
他にも該当する番組がある場合は（ステップＳ６；ＹＥＳ）、それらの番組のうち最も若い番号のチャンネルで放送中の番組に切替える。そして、再びステップＳ５にもどる。この様にして、同じ数字キーが押下される毎に、昇順で順次チャンネルが切り替わる。
【００７６】
一方、ステップＳ６で前記ジャンルに該当する番組が他にない場合は、再びステップＳ１に戻る。尚、このとき、他に該当する番組がない旨をディスプレイに表示するようにしてもよい。また、ステップＳ３においては、ユーザが指定するジャンルに該当する番組が少なくとも一つは存在することを前提としたが、該当する番組がない場合は該当する番組がない旨をディスプレイに表示するようにしてもよい。
【００７７】
以上説明した様に、第一の実施の形態におけるデジタル放送受信システム１によれば、予めユーザの登録により、各々の数字キー４０４〜４１３と所定のジャンルとが対応付けられる。ＣＰＵ２０１は、押下された数字キーに対応するジャンルコードと、メモリ２０２に既存のＥＰＧ情報に含まれるジャンルコードとを照合し、ユーザが指定するジャンルに該当する番組を放送するチャンネルを特定する。
【００７８】
ＣＰＵ２０１は、特定したチャンネルが複数存在する場合は先ず、最も番号の若いチャンネルを選択し、その選択したチャンネルの番組をディスプレイに表示させる。そして、再び同じ数字キーが押下される毎に、画面上に表示している番組を同じジャンルに属する他の番組に逐次切り替える。
【００７９】
このことにより、ユーザは、リモコン装置にてジャンルＤ選局ＳＷをＯＮにし、所定の数字キーを押下するだけで、所望の番組をただちに視聴できる。即ち、ユーザは煩雑な選局操作を要することがなく、迅速かつ容易に所望の番組を視聴できる。
【００８０】
更に、当該デジタル放送受信システム１において、テレビ受像機３は、周知の一般的なテレビジョンやモニタなどでもよい。従って、テレビジョン等をチューナボックス２と連動させれば当該デジタル放送受信システム１を構成できるので、そのコストを安価にできる。
【００８１】
〔第２の実施の形態〕
次に第２の実施の形態につき、図６及び図７を参照して説明する。なお、この第２の実施の形態においても、デジタル放送受信システムの構成自体は同じであるので、各構成要素についての図示及び説明は省略する。以下、説明で使用する符号は図１〜図４に対応する。
【００８２】
特にＣＰＵ２０１は、ＴＳデータ分離部２１７からＥＰＧ情報が入力される毎に、そのＥＰＧ情報を基に、現在放送中またはこれから放送される番組のチャンネル番号と、その番組のタイトルと、各番組の第一ジャンル及び第二ジャンルのジャンルコードと、を対応付けてメモリ２０２に格納する。
【００８３】
さて、図６は、第２の実施の形態によるデジタル放送受信システムにおける選局処理の手順を示すフローチャートである。前提として、メモリ２０２には、図2に示す設定内容が記憶されている。即ち、予めユーザの登録に基づいて、数字キー４０４〜４１３と所定のジャンルとが対応付けられている。また、電源キー４０１の押下操作により、チューナボックス２及びテレビ受像機３の電源はＯＮになっている。
【００８４】
先ず、ＩＲ受光部３３は、数字キー４０４〜４１３の押下による操作信号を赤外線にて受信すると（ステップＳ８）、その操作信号をバス２０６を介してＣＰＵ２０１に出力する。ＣＰＵ２０１は該操作信号がジャンル別選局を指示するものか否か、即ち、操作信号の発生に際してジャンルＤ選局ＳＷがＯＮであったかＯＦＦであったかを判定する（ステップＳ９）。
【００８５】
操作信号がジャンル別選局を指示するものでないならば（ステップＳ９；ＮＯ）、ＣＰＵ２０１は一般処理を実行し、数字キーによって指定される番号のチャンネルを選局し、そのチャンネルで放送されている番組をディスプレイ３１に表示させる。
【００８６】
一方、操作信号がジャンル別選局を指示するものであれば（ステップＳ９；ＹＥＳ）、ＣＰＵ２０１は、先ずメモリ２０２を参照する。メモリ２０２は、図４を参照して説明した様に、数字キー４０４〜４１３と所定のジャンルとを対応付けて記憶している。従って、ＣＰＵ２０１は、操作信号から押下された数字キーを特定し、その特定した数字キーに予め対応付けられたジャンルを特定できる。
【００８７】
次に、ＣＰＵ２０１は、前記特定したジャンルのジャンルコードと、メモリ２０２に記憶しているＥＰＧ情報に含まれるジャンルコードとを照合し、前記特定したジャンルに該当する番組を特定する。該当する番組が複数存在する場合は、デフォルト設定にて指定された番組をディスプレイ３１上に表示する（ステップＳ１１）。デフォルト設定によれば、該当する番組を放送中の複数のチャンネルのうち、最も番号の若いチャンネルにて放送している番組がディスプレイ３１に表示される。
【００８８】
現段階では、特定したジャンルに属する番組をデフォルト表示しているわけであるが、ここで、前記操作信号から特定した数字キーと同じ数字キーが再度押下されると（ステップＳ１２；ＹＥＳ）、ＣＰＵ２０１はＥＰＧ情報を参照し、前記ジャンルに該当する番組が他にもあるか判定する（ステップＳ１３）。
【００８９】
他にも該当する番組がある場合は（ステップＳ１３；ＹＥＳ）、ＣＰＵ２０１は、その該当する全ての番組のタイトルを後述の様に一覧表（以下、「タイトル一覧表」と記す。）でディスプレイ３１に重畳表示させる（ステップＳ１４）。
【００９０】
ここで、図７を参照してタイトル一覧表につき説明する。図７は、タイトル一覧表をディスプレイ３１に重畳表示した状態を模式的に示す図である。ディスプレイ３１には、ユーザがリモコン装置４にて、ジャンルＤ選局ＳＷ４０３をＯＮにして野球のジャンルに対応する数字キーを押下したことに起因して、デフォルト設定で選局された野球番組が表示されている。
【００９１】
更に、ディスプレイ３１には、表示中の野球番組と共にタイトル一覧表６が重畳表示されている。タイトル一覧表６には、現在放送中の番組のうち、ディスプレイ３１に表示中の番組以外の番組であって、ユーザが指定したジャンルに該当する全ての番組のタイトルが表示される。
【００９２】
図７において、タイトル一覧表６には、３種類の野球番組のタイトルが表示されている。ユーザは、ディスプレイ３１に表示中の野球番組の他、３種類の野球番組を選択して視聴できる。また、タイトル一覧表６の上部の枠６ａには、ユーザが数字キーにて指定したジャンル（野球）と、現在視聴可能な番組の数（３種類）が表示される。
【００９３】
また、タイトル一覧表６において、上部の枠６ａを除く３つの枠６ｂ〜６ｄの何れかは太枠６ｃで表示される。この太枠６ｃは、リモコン装置４のカーソルキー４１６又は４１９の押下操作にて枠６ｂ〜６ｄの上を移動する。
【００９４】
即ちステップＳ１４において、ユーザはリモコン装置４のカーソルキー４１６又は４１９の押下操作にて所望の番組のタイトルを選択できる。ここで、リモコン装置４の決定キー４２０を押下すると（ステップＳ１５；ＹＥＳ）、ＣＰＵ２０１は、太枠６ｃ内に表示されたタイトルの番組を選択し、その番組をディスプレイ３１上にただちに表示させる（ステップＳ１６）。続いて、ＣＰＵ２０１はタイトル一覧表６を画面上から除去させる（ステップＳ１７）。
【００９５】
一方、ＣＰＵ２０１は、タイトル一覧表６を画面上に重畳表示している状態において、リモコン装置４又は入力部２０４から操作信号が一定時間内に入力されない場合は（ステップＳ１５）、タイトル一覧表６を画面上から除去する。
【００９６】
以上説明した様に、第二の実施の形態におけるデジタル信号受信システムによれば、予めユーザの登録により、各々の数字キーと所望のジャンルとが対応付けられる。ＣＰＵ２０１は、メモリ２０２を参照し、押下された数字キーに対応するジャンルに適合する番組を放送しているチャンネルを特定する。そしてＣＰＵは、特定したチャンネルが複数存在する場合は先ず、最も番号の若いチャンネルを選択し、その選択したチャンネルの番組をディスプレイにただちに表示させる。
【００９７】
このことにより、ユーザは、リモコン装置４にてジャンルＤ選局ＳＷ２０３をＯＮにし、所定の数字キーを押下するだけで、所望の番組を視聴できる。即ち、ユーザは煩雑な選局操作を要することがなく、迅速かつ容易に所望の番組を視聴できる。
【００９８】
また、ＣＰＵ２０１は再び同じ数字キーが押下された場合は、タイトル一覧表６をディスプレイ３１上に重畳表示させる。タイトル一覧表６の上の枠６ａには、番組数が表示されるので、ユーザは現在視聴可能な番組の数を把握できる。また、ユーザは、タイトル一覧表６にてタイトルから番組を選択できるので、所望の番組に早くアクセスできる。
【００９９】
〔第３の実施の形態〕
次に第３の実施の形態につき、図８を参照して説明する。図８は、第３の実施の形態によるチューナ内蔵テレビ受像機７のブロック図である。このチューナ内蔵テレビ受像機７は、図２に示すテレビ受像機３にチューナボックス２を内蔵したものである。従って、上記第１及び第２の実施の形態と同じ構成要素については同符号を付してこれらの詳細な説明は省略する。
【０１００】
図８において、表示制御部３０２は、画像処理回路２２１から入力される映像信号をもとにディスプレイ３１を駆動制御して、ディスプレイ３１の画面上にデジタル放送の映像を表示させる。
【０１０１】
音声制御部３０３は、Ｄ／Ａコンバータ２２２から入力される音声信号をもとにスピーカ３２を駆動制御してスピーカ３２からデジタル放送の音声を出力させる。
【０１０２】
入力部２０４には、ＩＲ受光部３３を備えている。ＩＲ受光部３３は、リモコン装置４から発光される赤外線を受光する。そして、受光した赤外線の担う操作信号をバス２０６を介してＣＰＵ２０１に出力する。
【０１０３】
ＣＰＵ２０１が実行する各種処理は、第１又は第２の実施の形態において、ＣＰＵ２０１が実行する各種処理と同様である。
【０１０４】
以上説明した様に、第３の実施の形態におけるチューナ内蔵テレビ受像機７は、ディスプレイ３１を備えた本体内に、選局制御装置をはじめとする各部を収納して一体的に構成されるので、前記第１の実施の形態及び第２の実施の形態による効果に加えて、設置に要するスペースが小さくて済むという効果を奏する。
【０１０５】
尚、上記実施の形態における記述内容は、本発明の好適な例であり、これらに限定されるものではない。第２の実施の形態において、ディスプレイ３１に表示するタイトル一覧表６の大きさは任意である。更に、タイトル一覧表６の表示位置についても、図７に示す様に画面中央に表示する必要はない。例えば、ディスプレイ３１に表示中の番組をできるだけ遮らないようにするべく、タイトル一覧表６の大きさを小さくし、ディスプレイ３１の隅に表示する様にしてもよい。
【０１０６】
また、アンテナ（図示略）は、衛星放送受信用のパラボラアンテナであるが、集合住宅等において大型のアンテナから分岐したケーブルによって放送信号がチューナーボックス２へ入力される構成としてもよいし、ＣＡＴＶ（ケーブルテレビ）等のケーブルを介して、チューナーボックス２へ放送信号が入力されるようにしても良い。
【０１０７】
更に、デジタル放送受信システム１又はチューナ内蔵テレビ受像機７は、ＢＳやＣＳなどの衛星を介するデジタル放送に限らず、地上波によるデジタル放送を受信する構成としても良い。
【０１０８】
その他、チューナボックス２、テレビ受像機３、チューナ内蔵テレビ受像機６００の細部構成、リモコン装置の各種キーの配置、及びＣＰＵ２０１の詳細動作に関しても本発明の趣旨を逸脱することのない範囲で適宜変更できることは勿論である。
【０１０９】
【発明の効果】
請求項１記載の発明によれば、指定された属性の番組の映像及び音声が素早く出力され、さらに、続けて同一の属性が指定された場合は、予め判定された優先順位に基づいて、同一の属性の番組一覧が重ねて表示される。このため、ユーザは、所望の属性の番組が速やかに表示された上で、他の番組を選ぶことができ、利便性と興趣性の向上を図ることが出来る。
【０１１０】
請求項２記載の発明によれば、特定のキーに属性が対応づけられているので、属性を指定する操作が、より一層手軽な操作で済む。特に、同一の属性を連続して指定する場合には、操作が容易なため、より一層の利便性向上を図れる。
【０１１２】
請求項３記載の発明によれば、指定された属性の番組の映像及び音声が素早く出力され、さらに、続けて同一の属性が指定された場合は、予め判定された優先順位に基づいて、同一の属性の番組一覧が重ねて表示される。このため、ユーザは、所望の属性の番組が速やかに表示された上で、他の番組を選ぶことができ、利便性と興趣性の向上を図ることが出来る。更に、このテレビ受像機は指定手段を除く各構成要素を内蔵し（但し、指定手段も内蔵するようにしてもよい）、一体的に構成されるので、例えば、設置スペース等の面で便利である。
【図面の簡単な説明】
【図１】本発明の第１の実施の形態におけるデジタル放送受信システム１の構成を示す図である。
【図２】図１に示すリモコン装置４の外観図である。
【図３】図１のデジタル放送受信システム１の内部構成を示すブロック図である。
【図４】メモリ２０２に記憶された設定内容の構成を模式的に示す図である。
【図５】本発明の第１の実施の形態における選局処理の手順を示すフローチャートである。
【図６】本発明の第２の実施の形態における選局処理の手順を示すフローチャートである。
【図７】図６における選局処理で表示されるタイトル一覧表を模式的に示す図である。
【図８】本発明の第３の実施の形態におけるチューナー内蔵テレビ受像機７の内部構成を示すブロック図である。
【符号の説明】
１  デジタル放送放送受信システム
２  チューナボックス
２１  選局制御装置
２２  デジタルチューナ
２０１  ＣＰＵ
２０２  メモリ
２０３  Ｉ／Ｏ部
２０４  入力部
２０５  モデム
２０６  バス
２０７  フィルタ
２０８  増幅器
２０９  混合回路
２１０  発振器
２１１  ＰＬＬ回路
２１２  ＩＱ復調回路
２１３  Ａ／Ｄコンバータ
２１４  ｎＰＳＫ復調回路
２１５  ＴＭＣＣデコーダ
２１６  スクランブル解除部
２１７  ＴＳデータ分離部
２１８  ＭＰＥＧ２ビデオデコーダ
２１９  ＭＰＥＧ２オーディオデコーダ
２２０  ビデオメモリ
２２１  画面処理回路
２２２  Ｄ／Ａコンバータ
３  テレビ受像機
３１  ディスプレイ
３２  スピーカー
３３  ＩＲ受光部
３０１  制御装置
３０２  表示制御装置
３０３  音声制御装置
４  リモコン装置
４１  ＩＲ発光部
４０１  電源キー
４０２  メニューキー
４０３  ジャンルダイレクト選局スイッチ
４０４,４０５,４０６,４０７,４０８,４０９,４１０,４１１,４１２,４１３数字キー
４１４  シャープキー
４１５  アスタリスクキー
４１６,４１７,４１８,４１９  カーソルキー
４２０  決定キー
７  チューナー内蔵テレビ受像機
【図１】
0003644535.tif 000002
【図２】
0003644535.tif 000003
【図３】
0003644535.tif 000004
【図４】
0003644535.tif 000005
【図５】
0003644535.tif 000006
【図６】
0003644535.tif 000007
【図７】
0003644535.tif 000008
【図８】
0003644535.tif 000009